【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
電池を電源とする電源手段と、操作キーで入力された指示信号を送信して電子装置を遠隔操作する遠隔操作手段と、前記電池電圧を検出する検出手段と、検出した前記電池電圧をコード値に変換して送信する送信手段とを具備したリモコン装置を備えた電子装置において、前記送信手段は検出した前記電池電圧を段階的に区分された電圧値ごとに割り当てたコード値に変換して送信すると共に、前記電子装置は送信された前記コード値を該コード値に相当する電池残容量に変換するコード値変換手段と、該コード値変換手段により変換された前記電池残容量を通知する電池残容量通知手段とをさらに備えたことを特徴とするリモコン装置を備えた電子装置。
【請求項２】
前記電池残容量通知手段は前記電池残容量を前記電子装置の表示部により視認可能に表示して通知することを特徴とする請求項１記載のリモコン装置を備えた電子装置。
【請求項３】
前記電池残容量通知手段は前記電池残容量を前記電子装置の動作部により音を発して通知することを特徴とする請求項１記載のリモコン装置を備えた電子装置。
【請求項４】
前記電池残容量を検知して通知を指示するリモコン操作キーは前記電子装置を使用する上で最初に押すリモコン操作キー、又は最後に押すリモコン操作キーと兼用であることを特徴とする請求項１記載のリモコン装置を備えた電子装置。
【手続補正２】
【補正対象書類名】明細書
【補正対象項目名】全文
【補正方法】変更
【補正の内容】
【発明の詳細な説明】
【発明の名称】リモコン装置を備えた電子装置
【技術分野】
【０００１】
本発明は、リモコン装置で使用されている電池の残容量を電子装置側に送信し、該電子装置の表示又は動作によってユーザーに前記残容量を通知するための技術分野に関する。
【背景技術】
【０００２】
従来、リモコン装置に収容された電池の残容量を電子装置側で表示する方法については、例えば次のような従来技術が提案されている。特許文献１には、定期的にリモコン装置から本体装置に信号を送信し、リモコン装置が電池切れになり定期信号を受信出来なくなったときや、リモコン装置が本体装置と離れ過ぎてしまい信号電波が届かなくなったときなど、信号の送信が途絶えたときは本体装置側で異常の旨が報知され、ユーザーは、本体装置を起動出来なくなったことを容易に知ることが出来る方法が提案されている。
【０００３】
【特許文献１】特開平７−２５０３９１号公報
【発明の開示】
【発明が解決しようとする課題】
【０００４】
特許文献１に示される前記従来技術には、ユーザーがリモコン装置を操作していないときでもリモコン装置は定期的に信号を送信しているので電池の消耗が早いといった問題がある。また、ユーザーが本体装置を操作していないときは、必ずしもリモコン装置が本体装置の方向に向いているとは限らないので、信号電波が届かなくなったときと同様に本体装置側で異常の旨が報知され、ユーザーは、本体装置を起動出来なくなったと誤認してしまうといった問題がある。
【０００５】
本発明は、リモコン装置で使用されている電池の残容量を数段階に区分し、区分された段階である前記電池残容量をリモコン装置が電子装置側に送信し、該電子装置側の通知手段によって電池残容量の段階を確認することを可能にすると共に、前記電池残容量を検知して通知するタイミングを、電子装置を使用する上でリモコン装置を最初に操作するとき又は最後に操作するときにすることにより、電池の消耗を抑制し、電子装置を起動するとき又は停止するときに確実にユーザーに電池残容量を通知することが出来るリモコン装置を備えた電子装置を提供することを目的とする。
【課題を解決するための手段】
【０００６】
本発明の請求項１のリモコン装置を備えた電子装置は、電池を電源とする電源手段と、操作キーで入力された指示信号を送信して電子装置を遠隔操作する遠隔操作手段と、前記電池電圧を検出する検出手段と、検出した前記電池電圧をコード値に変換して送信する送信手段とを具備したリモコン装置を備えた電子装置において、前記送信手段は検出した前記電池電圧を段階的に区分された電圧値ごとに割り当てたコード値に変換して送信すると共に、前記電子装置は送信された前記コード値を該コード値に相当する電池残容量に変換するコード値変換手段と、該コード値変換手段により変換された前記電池残容量を通知する電池残容量通知手段とをさらに備えたことを特徴とする。
【０００７】
請求項１の構成によれば、このリモコン装置は、電池を電源とする電源手段と、操作キーで入力された指示信号を送信して電子装置を遠隔操作する遠隔操作手段と、リモコン装置内の電池電圧を検出する検出手段と、検出した前記電池電圧をコード値に変換して送信する送信手段とを具備しており、前記送信手段は検出した前記電池電圧を段階的に区分された電圧値ごとに割り当てたコード値に変換して送信することにより、検出された前記電池電圧の現在のレベルを示す情報をコード値として前記電子装置に送信することが出来る。また、前記電子装置は送信された前記コード値を該コード値に相当する電池残容量に変換するコード値変換手段と、該コード値変換手段により変換された前記電池残容量を通知する電池残容量通知手段とをさらに備えたことにより、前記リモコン装置の電池の電池残容量のレベルをユーザーに通知することが出来る。
【０００８】
本発明の請求項２のリモコン装置を備えた電子装置は、請求項１記載のリモコン装置を備えた電子装置において、前記電池残容量通知手段は前記電池残容量を前記電子装置の表示部により視認可能に表示して通知することを特徴とする。
【０００９】
請求項２の構成によれば、前記電池残容量通知手段が前記電池残容量を前記電子装置の表示部により視認可能に表示して通知することで、ユーザーは前記リモコン装置の電池の電池残容量のレベルを文字や符号、光の点灯、又は色彩の変化などから認識することが出来る。
【００１０】
本発明の請求項３のリモコン装置を備えた電子装置は、請求項１記載のリモコン装置を備えた電子装置において、前記電池残容量通知手段は前記電池残容量を前記電子装置の動作部により音を発して通知することを特徴とする。
【００１１】
請求項３の構成によれば、前記電池残容量通知手段が前記電池残容量を前記電子装置の動作部により音を発して通知することで、ユーザーは前記リモコン装置の電池の電池残容量のレベルを音声やメロディ、警報音などから認識することが出来る。
【００１２】
本発明の請求項４のリモコン装置を備えた電子装置は、請求項１記載のリモコン装置を備えた電子装置において、前記電池残容量を検出して通知を指示するリモコン操作キーは前記電子装置を使用する上で最初に押すリモコン操作キー、又は最後に押すリモコン操作キーと兼用であることを特徴とする。
【００１３】
請求項４の構成によれば、前記電池残容量を検知して通知を指示するリモコン操作キーは、前記電子装置を使用する上で最初に押すリモコン操作キー又は最後に押すリモコン操作キーと兼用であるため、前記電子装置から通知される表示又は音により前記電池残容量を確実に認識することが出来る。また、従来技術のようにユーザーが本体装置を操作していないときは、必ずしもリモコンが本体装置の方向に向いているとは限らないので、送信信号が届かなくなったときと同様に本体装置側で異常の旨が報知されるので、ユーザーは、本体装置を起動出来なくなったと誤認してしまうといった問題はない。
【発明の効果】
【００１４】
請求項１に係るリモコン装置を備えた電子装置の発明によれば、リモコン装置は、電池を電源とする電源手段と、操作キーで入力された指示信号を送信して電子装置を遠隔操作する遠隔操作手段と、リモコン装置内の電池電圧を検出する検出手段と、検出した前記電池電圧をコード値に変換して送信する送信手段とを具備しており、前記送信手段は検出した前記電池電圧を段階的に区分された電圧値ごとに割り当てたコード値に変換して送信することにより、検出された前記電池電圧の現在のレベルを示す情報をコード値として前記電子装置に送信することが出来る。また、前記電子装置は送信された前記コード値を該コード値に相当する電池残容量に変換するコード値変換手段と、該コード値変換手段により変換された前記電池残容量を通知する電池残容量通知手段とをさらに備えたことにより、ユーザーは前記リモコン装置内の電池の現在の電池残容量のレベルを容易に認識することが出来る。
【００１５】
請求項２に係るリモコン装置を備えた電子装置の発明によれば、前記電池残容量通知手段は前記電池残容量を前記電子装置の表示部により視認可能に表示して通知することで、ユーザーは前記リモコン装置の電池の電池残容量のレベルを文字や符号、光の点灯、又は色彩の変化などから簡単且つ容易に認識することが出来る。
【００１６】
請求項３に係るリモコン装置を備えた電子装置の発明によれば、前記電池残容量通知手段は前記電池残容量を前記電子装置の動作部により音を発して通知することで、ユーザーは前記リモコン装置の電池の電池残容量のレベルを音声やメロディ、警報音などから簡単且つ容易に認識することが出来る。
【００１７】
請求項４に係るリモコン装置を備えた電子装置の発明によれば、前記電池残容量を検知して通知を指示するリモコン操作キーは、前記電子装置を使用する上で最初に押すリモコン操作キー又は最後に押すリモコン操作キーと兼用であるため、前記電子装置から通知される文字や符号、光の点灯、若しくは色彩の変化などの表示内容、又は音声やメロディ、警報音などの音から前記電池残容量を確実に認識することが出来る。また、前記電子装置を起動するとき又は停止するときなど、リモコン操作キーで指示するときのみ電池残容量を検知して通知するので、従来技術のように定期的に信号を送信することによる無駄な電池消耗を抑制し、電池寿命を延ばすことが出来る。
【発明を実施するための最良の形態】
【００１８】
以下、本発明を実施するための最良の形態としての実施例を図１〜図１１を用いて以下に説明する。図１から図５は、本発明における第１実施例たるテレビ用リモコン装置に関する説明図である。図６から図８は、本発明における第２実施例たる自動車用リモコン装置に関する説明図である。図９から図１１は、本発明における第３実施例たる照明器具用リモコン装置に関する説明図である。もちろん、本発明は、その発明の趣旨に反さない範囲で、実施例において説明した以外のものに対しても容易に適用可能なことは説明するまでもない。
【実施例１】
【００１９】
図１は、第１実施例であるテレビ用のリモコン装置１とテレビ１１の内部構成を示すブロック図である。前記リモコン装置１では、１．５Ｖの電池２が２本直列に接続されて、３Ｖの電源を構成している。また、前記電池２の電圧を検出する電圧検出部３と、該電圧検出部３が検出した電圧を段階的に区分された電圧値ごとに割り当てたコード値に変換するリモコン用マイコン（Ｍｉｃｒｏｃｏｍｐｕｔｅｒ）４と、前記テレビ１１を遠隔操作するためのリモコン操作キーを配置した操作部５と、前記変換されたコード値をテレビ１１に送信する送信部６とを具備している。前記テレビ１１は、前記送信部６から送信されたコード値の信号を受信する受信部１３と、受信したコード値に相当する電池残容量の情報に変換する本体用マイコン１４と、前記電池残容量情報を表示画面上にオーバーラップさせて表示するための処理を行うＯＳＤ（Ｏｎ  Ｓｃｒｅｅｎ  Ｄｉｓｐｌａｙ）制御部１５と、表示画面上の画像と前記コード値から電池残容量情報に変換された情報を他の表示画面と合成するクロマ（ＣＨＲＯＭＡ−ＫＥＹ）ＩＣ１６と、前記電池残容量を表示するＣＲＴ（Ｃａｔｈｏｄｅ−Ｒａｙ  Ｔｕｂｅ  Ｄｉｓｐｌａｙ）やＬＣＤ（Ｌｉｑｉｄ  Ｃｒｙｓｔａｌ  Ｄｉｓｐｌａｙ）による表示部１７と、これらを含むテレビ１１内部の全てに電源を供給する電源回路部１２とを備えている。
【００２０】
ここで、リモコン装置１の電池電圧を検出する電圧検出部３について説明する。このテレビ用のリモコン装置１は、１．５Ｖの電池を直列に２本接続して、３Ｖの電源を構成している。また、リモコン装置１は、ユーザーがこれからテレビ１１を視聴しようとしてリモコン装置１の操作部５の図示しないＰＯＷＥＲキーを押下したとき及びテレビの視聴を止めようと前記ＰＯＷＥＲキーを押下したときに、電池電圧を検出してテレビ１１の表示部１７により残容量を通知するように設定されている。また、本発明では、リモコン用マイコン４の図示しないＡＤ端子によってアナログ電圧をデジタル電圧に変換し基準電圧に対する入力電圧を検出しているが、これとは別の図示しない電圧検出ＩＣで検出することや、図示しない電圧検出回路を別に設けて検出することも可能である。
【００２１】
次にリモコン用マイコン４が、電圧検出部３によって検出された電池電圧を段階的に区分された電圧値ごとに割り当てたコード値に変換する動作について説明する。リモコン用マイコン４は、図示しないリセットＩＣ回路を有し、図示しない前記ＰＯＷＥＲキーが押下されることで電圧の検出を開始する。リモコン用マイコン４が正常に動作するまでの電圧、即ち前記リセットＩＣによってリモコン用マイコン４がリセットされるまでの電圧の範囲を数分割し、その値を段階的に区分された電圧値ごとに、１キーに対してＫＥＹ  ＣＯＤＥを別々にアサイン（Ａｓｓｉｇｎ）する構成（即ち、１キーに対して複数のＫＥＹ  ＣＯＤＥをアサインする構成）としている。
【００２２】
具体的には、図２に示すように、このリモコン装置１にはリモコン操作キーのＫＥＹ  ＣＯＤＥとＫＥＹ  ＮＡＭＥが割り当てられている。ここでＫＥＹ  ＮＡＭＥの「ＰＯＷＥＲ」について説明する。該「ＰＯＷＥＲ」は前記リモコン操作キーのＰＯＷＥＲキーに対応しており、前述の通りＰＯＷＥＲキー（即ち、１キー）に対してＫＥＹ  ＣＯＤＥの０１から０５（即ち、複数のＫＥＹ  ＣＯＤＥ）がアサインされている。このＫＥＹ  ＣＯＤＥの０１から０５が、前記段階的に区分された電圧値ごとに対応する。さらにＰＯＷＥＲキーは、押下されると前記テレビを起動又は停止するための指示を行うリモコン操作キーを兼ねている。
【００２３】
続いて、図３を用いて、前記ＫＥＹ  ＣＯＤＥの０１から０５が段階的に区分された電池の電圧値ごとに対応する内容と、電池残容量をテレビ１１の表示部１７に表示して通知する方法について説明する。まず、前記ＫＥＹ  ＣＯＤＥの０１から０５は、各々前記電池の電圧レベルにより「ＦＵＬＬ  ＣＨＡＲＧＥ」，「４／５ＣＨＡＲＧＥ」，「３／５ＣＨＡＲＧＥ」，「２／５ＣＨＡＲＧＥ」，「１／５ＣＨＡＲＧＥ」と段階的に区分される。前記リモコン装置１に供給されて前記電圧検出部３である前記リモコン用マイコン４のアナログ端子とデジタル端子で検出した電池電圧は、前記区分された「ＦＵＬＬ  ＣＨＡＲＧＥ」は３．０Ｖ以上で表示画面には「ＦＵＬＬ」と、「４／５ＣＨＡＲＧＥ」は３．０Ｖ未満且つ２．８Ｖ以上で「４／５」と表示され、「３／５ＣＨＡＲＧＥ」は２．８Ｖ未満且つ２．６Ｖ以上で「３／５」であり、「２／５ＣＨＡＲＧＥ」は２．６Ｖ未満且つ２．４Ｖ以上で「２／５」、「１／５ＣＨＡＲＧＥ」は２．４Ｖ未満且つ２．２Ｖ以上で「１／５」と表示される。２．２Ｖ未満においては前記リモコン装置１の電池残容量通知手段は動作しない。
【００２４】
次に、リモコン操作キー押下時におけるリモコン装置１の動作フローを図４を用いて説明する。Ｒ００１でＰＯＷＥＲキーが押下されると、リモコン用マイコン４はＲ００２で「ＰＯＷＥＲキー押下」の確認を行い、Ｎｏであれば次の動作には進まない。Ｙｅｓの時は電圧検出部３が検出を開始すると共に、マイコンが正常に動作するまでの電圧範囲を検出する。次にＲ００３で電源電圧の判定を行う。例えば、電池電圧が２．７ＶであればＲ００４に進み、ＫＥＹ  ＣＯＤＥは「０３ｈ」となる。次にＲＯＯ９でＫＥＹ  ＣＯＤＥの「０３ｈ」を相手側の電子装置であるテレビ１１に送信し、Ｒ０１０で動作は終了する。
【００２５】
続いて、図５を用いてテレビ１１側の動作フローを説明する。Ｔ００１でユーザーがＰＯＷＥＲキーを押下してテレビ１１の電源をＯＮする指示を行うと、前記リモコン装置１から電源ＯＮの指示を受信したテレビ１１はＴ００２で受信映像の放映を開始する。続いて、Ｔ００３でリモコン装置１から送信された電池電圧に相当するＫＥＹ  ＣＯＤＥの「０３ｈ」は、受信部１３から本体用マイコン１４に送られて、電池電圧に相当するＫＥＹ  ＣＯＤＥを段階的に切り換えるプログラムにより本体用マイコン１４で「０３ｈ」と判定されると、Ｔ００６で図３に示される表に基づき「３／５」と表示をするよう本体用マイコン１４からＯＳＤ制御部１５に指示される。続いて、Ｔ００９でＯＳＤ制御部１５によって表示画面にオーバーラップ処理されると共に、クロマＩＣ１６によって受信映像と合成され、表示部１７にリモコン装置１の電池残容量は「３／５」である旨が表示される。続くＴ０１０で動作は終了する。
【実施例２】
【００２６】
図６は、本発明の第２実施例である自動車のドア施錠開錠用リモコン装置２１と自動車に搭載されたドア施錠開錠用電子装置３１を示すブロック図である。リモコン装置２１はボタン型で３Ｖの電池２２を電源とする。また、前記リモコン装置２１は、前記電池２２の電圧を検出する電圧検出部２３と、該電圧検出部２３によって検出された電圧を段階的に区分された電圧値ごとに割り当てたコード値に変換するリモコン用マイコン２４と、前記自動車のドア施錠開錠用電子装置３１を遠隔操作するためのリモコン操作キーを配置した操作部２５と、前記変換されたコード値を前記電子装置３１に送信する送信部２６とを具備する。一方、前記電子装置３１は、前記送信部２６から送信されたコード値の信号を受信する受信部３３と、受信したコード値に相当する電池残容量の情報に変換する本体用マイコン３４と、前記電池残容量情報を前記自動車が具備する図示しないハザードランプ（Ｈａｚａｒｄ  Ｌａｍｐ）の点滅により通知するためのハザード制御部３５と、ハザード点灯制御部３６と、自動車の車体に配置されたハザードランプの左側３７及びハザードランプの右側３８と、これらを含む自動車の全てに電源を供給する電源部３２とを備えている。
【００２７】
続いて、図７を用いて、リモコン装置２１のＫＥＹ  ＣＯＤＥとＫＥＹ  ＮＡＭＥとの関係を説明する。前記リモコン装置２１にはリモコン操作キーのＫＥＹ  ＣＯＤＥとＫＥＹ  ＮＡＭＥが割り当てられている。前述のテレビ１１のリモコン装置１と同様に、ＫＥＹ  ＮＡＭＥの「ＤＯＯＲ  ＯＰＥＮ／ＣＬＯＳＥ」は前記リモコン操作キーのＤＯＯＲ  ＯＰＥＮ／ＣＬＯＳＥキーに対応しており、前述の通りＤＯＯＲ  ＯＰＥＮ／ＣＬＯＳＥキーの１キーに対してＫＥＹ  ＣＯＤＥの０１から０５（即ち、複数のＫＥＹ  ＣＯＤＥ）がアサインされている。このＫＥＹ  ＣＯＤＥの０１から０５が、前記段階的に区分された各電圧値に対応する。さらに前記ＤＯＯＲ  ＯＰＥＮ／ＣＬＯＳＥのリモコン操作キーは、押下されると前記自動車ドアの施錠動作又は開錠動作をするための指示を行うリモコン操作キーを兼ねている。
【００２８】
次に図８を用いて、前記ＫＥＹ  ＣＯＤＥの０１から０５が前記段階的に区分された電池の電圧値ごとに対応する内容と、自動車用リモコン装置２１における電池残容量の通知例について説明する。本実施例は、前記自動車ドアの開錠動作をするための指示を行うリモコン操作キーと連動して前記電池残容量の通知を行うように構成されている。まず、前記ＫＥＹ  ＣＯＤＥの０１から０５は、各々前記電池の電圧レベルにより「ＦＵＬＬ  ＣＨＡＲＧＥ」，「４／５ＣＨＡＲＧＥ」，「３／５ＣＨＡＲＧＥ」，「２／５ＣＨＡＲＧＥ」，「１／５ＣＨＡＲＧＥ」と段階的に区分される。前記リモコン装置２１に供給されて前記電圧検出部２３である前記リモコン用マイコン２４のアナログ端子とデジタル端子で検出した電池電圧は前記区分された「ＦＵＬＬ  ＣＨＡＲＧＥ」は３．０Ｖ以上で「ドアＯＰＥＮ」であり、「４／５ＣＨＡＲＧＥ」は３．０Ｖ未満且つ２．８Ｖ以上でハザードの「左点滅３回」であり、「３／５ＣＨＡＲＧＥ」は２．８Ｖ未満且つ２．６Ｖ以上でハザードは「右点滅３回」、「２／５ＣＨＡＲＧＥ」は２．６Ｖ未満且つ２．４Ｖ以上で「左右点滅３回」、「１／５ＣＨＡＲＧＥ」は２．４Ｖ未満且つ２．２Ｖ以上で「左右点灯５秒」と段階的に区分されている。２．２Ｖ未満においては前記リモコン装置２１の電池残容量通知手段は動作しない。
【実施例３】
【００２９】
次に本発明の第３実施例における照明器具に備えられた調光用のリモコン装置４１について図９のブロック図を参照しながら以下に説明する。リモコン装置４１には、１．５Ｖの電池４２が２本直列に接続されて収容されており、３Ｖを供給している。また、リモコン装置４１には、前記電池４２の電圧を検出する電圧検出部４３と、該電圧検出部４３によって検出された電圧を段階的に区分された電圧値ごとに割り当てたコード値に変換するリモコン用マイコン４４と、前記照明器具の調光用電子装置５１を遠隔操作するためのリモコン操作キーを配置した操作部４５と、前記変換されたコード値を前記電子装置５１に送信する送信部４６とを具備している。一方、前記調光用電子装置５１には前記送信部４６から送信されたコード値の信号を受信する受信部５３と、受信したコード値に相当する電池残容量の情報に変換する本体用マイコン５４と、前記電池残容量情報を前記照明器具が具備する調光用電子装置５１で照明器具の点滅によって通知するためのランプ制御部５５と、ランプ点灯制御部５６と、照明器具の点灯部５７と、これらを含む前記照明器具の全てに電源を供給する電源部５２とを備えている。
【００３０】
図１０を用いて、前記照明器具の調光用リモコン装置４１のＫＥＹ  ＣＯＤＥについて説明する。前記リモコン装置４１は照明器具を点灯したときに電池残容量を検出して通知するように構成されており、該リモコン装置４１にはリモコン操作キー４５のＫＥＹ  ＣＯＤＥとＫＥＹ  ＮＡＭＥが割り当てられている。前述のテレビ１１のリモコン装置１と同様に、ＫＥＹ  ＮＡＭＥの「ＬＩＧＨＴＩＮＧ  ＯＮ／ＯＦＦ」は前記リモコン操作キーのＬＩＧＨＴＩＮＧ  ＯＮ／ＯＦＦキーに対応しており、前述の通りＬＩＧＨＴＩＮＧ  ＯＮ／ＯＦＦキーの１キーに対してＫＥＹ  ＣＯＤＥの０１から０５（即ち、複数のＫＥＹ  ＣＯＤＥ）がアサインされている。このＫＥＹ  ＣＯＤＥの０１から０５が、前記段階的に区分された各電圧値に対応する。さらに前記ＬＩＧＨＴＩＮＧ  ＯＮ／ＯＦＦのリモコン操作キーは、押下されると前記照明器具の点灯や調光動作をするための指示を行うリモコン操作キーを兼ねている。
【００３１】
次に図１１を用いて、前記ＫＥＹ  ＣＯＤＥの０１から０５が前記段階的に区分された電池の電圧値ごとに対応する内容と、照明器具の調光用リモコン装置４１における電池残容量の通知例について説明する。まず、前記ＫＥＹ  ＣＯＤＥの０１から０５は、各々前記電池の電圧レベルにより「ＦＵＬＬ  ＣＨＡＲＧＥ」，「４／５ＣＨＡＲＧＥ」，「３／５ＣＨＡＲＧＥ」，「２／５ＣＨＡＲＧＥ」，「１／５ＣＨＡＲＧＥ」と段階的に区分される。前記リモコン装置４１に供給されて前記電圧検出部４３である前記リモコン用マイコン４４のアナログ端子とデジタル端子で検出した電池電圧は前記区分された「ＦＵＬＬ  ＣＨＡＲＧＥ」は３．０Ｖ以上で「照明点灯」であり、「４／５ＣＨＡＲＧＥ」は３．０Ｖ未満且つ２．８Ｖ以上で「照明点灯後１回点滅」であり、「３／５ＣＨＡＲＧＥ」は２．８Ｖ未満且つ２．６Ｖ以上で「照明点灯後２回点滅」、「２／５ＣＨＡＲＧＥ」は２．６Ｖ未満且つ２．４Ｖ以上で「照明点灯後３回点滅」、「１／５ＣＨＡＲＧＥ」は２．４Ｖ未満且つ２．２Ｖ以上で「照明点灯後４回点滅」と段階的に区分されている。２．２Ｖ未満においては前記リモコン装置４１の電池残容量通知手段は動作しない。
【００３２】
以上のように本発明の実施例のリモコン装置１，２１，４１を備えた電子装置１１，３１，５１によれば、テレビ１１、或いは自動車ドアの施錠開錠を行う電子装置３１、照明器具の調光用電子装置５１など、種々の電子装置に適用出来、また、産業用の装置類などにも広く応用することが可能である。テレビ１１のようにリモコン装置１で使用されている電池２の残容量を数段階に区分し、区分された段階である前記残容量をリモコン装置１が電子装置１１側に送信し、該電子装置１１側の通知手段によって電池残容量の段階を確認することを可能とすると共に、前記残容量を検知して通知するタイミングを、電子装置１１を使用する上でリモコン装置１を最初に操作するとき又は最後に操作するときにすることにより、前記従来技術のように定期的に信号を送信することによる電池消耗を抑制し、電子装置１１を起動するとき又は停止するときに確実にユーザーに通知することが出来るので、現在のリモコン装置１の電池２の電池残容量のレベルをユーザーは簡単且つ確実に認識することが出来る。また、前記テレビ１１の表示部１７による文字表示や自動車のハザードランプの点滅表示、さらに照明器具の点滅表示などにより視認可能に通知することにより、ユーザーは前記リモコン装置１の電池２の電池残容量のレベルを前記文字や符号、光の点灯、又は色彩の変化などから容易に認識することが出来る。また、前記可視可能な通知手段のほか、スピーカーなどにより音を発して通知することにより、電池残容量を音声やメロディ、警報音などから認識することが出来る。また、前記電池残容量を検出して通知するタイミングは前記電子装置１１をリモコン装置１により最初に操作するとき又は最後に操作するときであり、電子装置１１の起動や停止などをリモコン操作キーで指示しているときなので、ユーザーは前記電子装置を注視しており前記通知手段による通知を見逃すことはなく、前記電子装置１１から通知される文字や符号、光の点灯、若しくは色彩の変化などの表示内容、又は音声やメロディ、警報音などの音から前記電池残容量を確実に認識することが出来る。また、電池残容量の検出や通知は前記電子装置１１に起動や停止などをリモコン操作キーで指示するときだけであり、従来技術のように定期的に信号を送信することによる無駄な電池消耗を抑制し、電池寿命を延ばすことが出来る。
【００３３】
以上、本発明の実施例を詳述したが、本発明は、前記実施例に限定されるものではなく、本発明の要旨の範囲内で種々の変形実施が可能である。例えば、電池の残容量を通知するリモコン装置１は、テレビや自動車、照明器具などの民生用に限らず、前述のように産業用の装置類にも広く応用することが出来る。またリモコン装置１自体に電池残容量を通知する機能がなくても前記リモコン装置１が遠隔操作可能な電子装置側に音や光などで通知することが可能な状態であればよく、通知手段においても音や光、映像などに限らず振動して通知することも可能であり、また、リモコン装置１における電池電圧の段階的な区分数は５段階である必要はなく使い易さを考慮して前記段階的な区分数を変更するなど、前記実施例に限定されるものではなく、適宜選定すればよい。
【図面の簡単な説明】
【００３４】
【図１】本発明の第１実施例におけるテレビ用リモコン装置を示すブロック説明図である。
【図２】本発明の第１実施例におけるリモコン装置のＫＥＹ  ＣＯＤＥとＫＥＹ  ＮＡＭＥの関係を示す説明図である。
【図３】本発明の第１実施例におけるリモコン装置の電池残容量区分と表示例を示す説明図である。
【図４】本発明の第１実施例におけるＰＯＷＥＲキー押下時のリモコン装置側動作を示すフロー説明図である。
【図５】本発明の第１実施例におけるＰＯＷＥＲキーコード受信時のテレビ側におけるＰＯＷＥＲ  ＯＮ動作を示すフロー説明図である。
【図６】本発明の第２実施例における自動車用リモコン装置を示すブロック説明図である。
【図７】本発明の第２実施例におけるリモコン装置のＫＥＹ  ＣＯＤＥとＫＥＹ  ＮＡＭＥの関係を示す説明図である。
【図８】本発明の第２実施例におけるリモコン装置の電池残容量区分と表示例を示す説明図である。
【図９】本発明の第３実施例における照明器具用リモコン装置を示すブロック説明図である。
【図１０】本発明の第３実施例におけるリモコン装置のＫＥＹ  ＣＯＤＥとＫＥＹ  ＮＡＭＥの関係を示す説明図である。
【図１１】本発明の第３実施例におけるリモコン装置の電池残容量区分と表示例を示す説明図である。
【符号の説明】
【００３５】
１，２１，４１  リモコン装置
２，２２，４２  電池
３，２３，４３  電圧検出部
４，２４，４４  リモコン用マイコン
５，２５，４５  操作部
６，２６，４６  送信部
１１，３１，５１  電子装置（テレビ、自動車に搭載されたドア施錠開錠用電子装置、照明器具に備えられた調光用電子装置）
１２，３２，５２  電源（電源回路部、電源部）
１３，３３，５３  受信部
１４，３４，５４  本体用マイコン
１５  ＯＳＤ制御部
１６  クロマＩＣ
１７  表示部
【手続補正３】
【補正対象書類名】図面
【補正対象項目名】図２
【補正方法】変更
【補正の内容】
【図２】
2006074694.tif 000001
【手続補正４】
【補正対象書類名】図面
【補正対象項目名】図５
【補正方法】変更
【補正の内容】
【図５】
2006074694.tif 000002